(57)【要約】【課題】ケーシングチューブ挿通孔内に作業者が転落するような危険性を排除して安全に作業を行うことができるチュービング装置を提供する。【解決手段】ベースフレーム、ドライブフレーム及びチャックフレームの中央部を鉛直方向に貫通するケーシングチューブ挿通孔１６を備えたチュービング装置において、チャックフレームの上に、ケーシングチューブ挿通孔の内径に対応した内径を有する開口部１９を備えた作業デッキ２０を設けるとともに、前記開口部の周囲に着脱可能な複数の内周側手摺部材２１をリング状に配置する。また、外径が小さなケーシングチューブを使用する際には、内径が小さな開口部を備えた補助作業デッキを使用するとともに、小さな内径の開口部の周囲に同じ内周側手摺部材を、数を少なくして配置する。【選択図】図１
2015040434.tif 000002
【特許請求の範囲】
【請求項１】
地上に据え付けられるベースフレームと、該ベースフレームの上方に昇降シリンダを介して昇降可能に設けられたドライブフレームと、該ドライブフレームの上方にチャックシリンダを介して昇降可能に設けられたチャックフレームと、前記ベースフレーム、ドライブフレーム及びチャックフレームの中央部を鉛直方向に貫通するケーシングチューブ挿通孔とを備えたチュービング装置において、前記チャックフレームの上に、前記ケーシングチューブ挿通孔の内径に対応した内径を有する開口部を備えた作業デッキを設けるとともに、該作業デッキの前記開口部の周囲を囲む位置に、複数の着脱可能な手摺部材をリング状に配置したことを特徴とするチュービング装置。
【請求項２】
前記ケーシングチューブ挿通孔に比べて外径が小さなケーシングチューブを使用する際には、前記開口部の内周に、外径が小さな前記ケーシングチューブの外径に対応した内径を有する小径の開口部を備えた補助作業デッキを着脱可能に設けるとともに、該補助作業デッキの前記小径の開口部の周囲を囲む位置に、前記作業デッキの開口部の周囲に配置した前記手摺部材と同じ手摺部材を、前記作業デッキの開口部の周囲の配置数よりも少ない設置数でリング状に配置したことを特徴とする請求項１記載のチュービング装置。
【発明の詳細な説明】
【技術分野】
【０００１】
本発明は、チュービング装置に関し、詳しくは、建築、土木の基礎工事で地中へのケーシングの圧入や引き抜きを行うチュービング装置に関する。
【背景技術】
【０００２】
大口径のケーシングチューブ（鋼管杭）を地中に圧入したり、引き抜いたりする作業を行うための手段として、チュービング装置（オールケーシング掘削機）が用いられている。このチュービング装置は、一般に、地上に据え付けられるベースフレームと、該ベースフレームの上方に昇降シリンダを介して昇降可能に設けられたドライブフレームと、該ドライブフレームの上方にチャックシリンダを介して昇降可能に設けられたチャックフレームと、前記ベースフレーム、ドライブフレーム及びチャックフレームの中央部を鉛直方向に貫通するケーシングチューブ挿通孔とを備えている。このようなチュービング装置では、ケーシングの挿入や着脱、コンクリートの注入などの作業をする際の転落事故を防止するため、チュービング装置本体の上面に設けた作業デッキの外縁に沿って手摺を設けることが行われている（例えば、特許文献１参照。）。
【先行技術文献】
【特許文献】
【０００３】
【特許文献１】特開２００１−３２９７７５号公報
【発明の概要】
【発明が解決しようとする課題】
【０００４】
しかし、従来の手摺は、チュービング装置本体の上面周囲に設けられるのみであり、ケーシングチューブ挿通孔内への転落防止に対しては考慮されていなかった。
【０００５】
そこで本発明は、ケーシングチューブ挿通孔内に作業者が転落するような危険性を排除して安全に作業を行うことができるチュービング装置を提供することを目的としている。
【課題を解決するための手段】
【０００６】
上記目的を達成するため、本発明のチュービング装置は、地上に据え付けられるベースフレームと、該ベースフレームの上方に昇降シリンダを介して昇降可能に設けられたドライブフレームと、該ドライブフレームの上方にチャックシリンダを介して昇降可能に設けられたチャックフレームと、前記ベースフレーム、ドライブフレーム及びチャックフレームの中央部を鉛直方向に貫通するケーシングチューブ挿通孔とを備えたチュービング装置において、前記チャックフレームの上に、前記ケーシングチューブ挿通孔の内径に対応した内径を有する開口部を備えた作業デッキを設けるとともに、該作業デッキの前記開口部の周囲を囲む位置に、複数の着脱可能な手摺部材をリング状に配置したことを特徴としている。
【０００７】
さらに、本発明のチュービング装置は、前記ケーシングチューブ挿通孔に比べて外径が小さなケーシングチューブを使用する際には、前記開口部の内周に、外径が小さな前記ケーシングチューブの外径に対応した内径を有する小径の開口部を備えた補助作業デッキを着脱可能に設けるとともに、該補助作業デッキの前記小径の開口部の周囲を囲む位置に、前記作業デッキの開口部の周囲に配置した前記手摺部材と同じ手摺部材を、前記作業デッキの開口部の周囲の設置数よりも少ない配置数でリング状に配置したことを特徴としている。
【発明の効果】
【０００８】
本発明のチュービング装置によれば、作業デッキの開口部の周囲に手摺部材を配置したので、作業デッキからケーシングチューブ挿通孔内に作業者が転落することを確実に防止でき、従来から用いられている作業デッキ外縁側の手摺と併用することにより、チュービング装置上部での各種作業を安全帯を用いることなく効率よく安全に行うことができる。
【０００９】
さらに、標準のケーシングチューブに比べて小径のケーシングチューブを使用する際に、該小径のケーシングチューブの外径に対応した小径の開口部を備えた補助作業デッキを前記開口部の内周に設けるとともに、小径の開口部の周囲に、同じ手摺部材の使用数を少なくして配置することにより、手摺部材の種類を増加させることなく経済的に安全性を確保することができる。
【図面の簡単な説明】
【００１０】
【図１】本発明の一形態例を示すチュービング装置の平面図である。
【図２】同じく側面図である。
【図３】中径補助作業デッキ及び手摺部材を設置する状態を示す説明図である。
【図４】中径補助作業デッキ及び手摺部材を設置したチュービング装置の平面図である。
【図５】小径補助作業デッキ及び手摺部材を設置したチュービング装置の平面図である。
【発明を実施するための形態】
【００１１】
図１乃至図３は、本発明のチュービング装置の一形態例を示すもので、このチュービング装置は、地上に据え付けられるベースフレーム１１と、該ベースフレーム１１の上方に昇降シリンダ１２を介して昇降可能に設けられたドライブフレーム１３と、該ドライブフレーム１３の上方にチャックシリンダ１４を介して昇降可能に設けられたチャックフレーム１５とを備えており、前記ベースフレーム１１、ドライブフレーム１３及びチャックフレーム１５の中央部には、鉛直方向に貫通して同軸上に配置されたケーシングチューブ挿通孔１６が設けられている。
【００１２】
チャックフレーム１５の内周には、このチュービング装置で使用する標準仕様のケーシングチューブ（以下、大径ケーシングチューブという。）１７を把持するための複数のチャック１８が設けられている。また、チャックフレーム１５の上面には、ケーシングチューブ挿通孔１６の内径に対応した内径を有する開口部１９を備えた作業デッキ２０が設けられており、ケーシングチューブ挿通孔１６とチャックフレーム１５の外縁とが接近している部分には、外方に張り出す拡幅デッキ２０ａが設けられている。
【００１３】
図１及び図２に示すように、ケーシングチューブ挿通孔１６に面する作業デッキ２０の内周部には、開口部１９の周囲を囲むようにして複数の着脱可能な内周側手摺部材２１が設けられるとともに、作業デッキ２０及び拡幅デッキ２０ａの外縁部には、複数の着脱可能な外縁部側手摺部材２２が設けられている。内周側手摺部材２１及び外縁部側手摺部材２２は、安全基準に対応した形状を有しており、水平方向の手摺部２１ａ，２２ａ及び中桟２１ｂ，２２ｂと、両端部に設けられた鉛直方向の一対の支柱部２１ｃ，２２ｃとを備えている。内周側手摺部材２１の幅寸法及び高さ寸法などは全て同一であり、外縁部側手摺部材２２の幅寸法は、あらかじめ設定された装着位置に対応した幅寸法にそれぞれ設定されている。
【００１４】
作業デッキ２０及び拡幅デッキ２０ａにおける各手摺部材２１，２２の取付位置には、前記支柱部２１ｃ，２２ｃの下端部を挿入するための筒状の手摺取付部材２３，２４がそれぞれ所定位置に設けられている。各手摺部材２１，２２は、支柱部２１ｃ，２２ｃの下端部を手摺取付部材２３，２４の内部にそれぞれ挿入した後、抜け止め部材２５をそれぞれ取り付けることによって所定位置に固定され、ケーシングチューブ挿通孔１６の周囲には、１０個の内周側手摺部材２１がリング状に設置された状態になる。これにより、大径ケーシングチューブ１７を使用して作業を行う際に、ケーシングチューブ挿通孔１６内への転落事故や、作業デッキ２０、拡幅デッキ２０ａ外側への転落事故を確実に防止することができ、各種作業を安全に、効率よく進めることができる。
【００１５】
図３及び図４は、前記大径ケーシングチューブ１７よりも小さな内径、すなわち、ケーシングチューブ挿通孔１６の内径に比べて外径が小さな中径ケーシングチューブ３１を使用して作業を行う際の状態を示している。なお、以下の説明において、図１及び図２に示したチュービング装置の構成要素と同一の構成要素には同一の符号を付して詳細な説明は省略する。
【００１６】
中径ケーシングチューブ３１を使用する場合は、まず、前記チャック１８の内周側に中径用チャック３２をそれぞれ取り付けるとともに、前記作業デッキ２０の開口部１９に中径用補助作業デッキ３３を嵌め込むようにして設置する。中径用補助作業デッキ３３は、外径が作業デッキ２０の開口部１９の内径に対応し、内径が中径ケーシングチューブ３１の外形に対応したリング状に形成されるとともに、上面内周部には、中径用補助作業デッキ３３の中径開口部３４の周囲を囲むようにして８個の前記内周側手摺部材２１を設置するための手摺取付部材３５が所定位置に設けられている。
【００１７】
また、中径用補助作業デッキ３３の外周面上部に設置用上部フランジ３３ａを突設するとともに、作業デッキ２０の開口部１９の内周面下部に、前記設置用フランジ３３ａを載置する設置用下部フランジ１９ａ（図１参照）を設けておくことにより、中径用補助作業デッキ３３を設置する際の位置決めを確実に行えるとともに、作業デッキ２０の上面と中径用補助作業デッキ３３の上面とを面一にすることができ、作業時の安全性を確保することができる。
【００１８】
このように、中径ケーシングチューブ３１を使用する際に、作業デッキ２０の開口部１９に中径用補助作業デッキ３３を設置するとともに、中径用補助作業デッキ３３に設けた手摺取付部材３５に内周側手摺部材２１を取り付けることにより、中径開口部３４を内周側手摺部材２１で囲むことができるので、中径ケーシングチューブ３１を使用したときの転落事故も防止することができる。また、大径ケーシングチューブ１７を使用するときと同じ内周側手摺部材２１を、設置数を減らして設置するようにしているので、専用の内周側手摺部材を製作して用意しておく場合に比べて、内周側手摺部材の製作コストや管理コストを低減することができる。
【００１９】
さらに、図５に示すように、中径ケーシングチューブ３１よりも小さな内径を有する小径ケーシングチューブ４１を使用して作業を行う際も、中径ケーシングチューブ３１を使用する場合と同様に、チャック１８の内周側に小径用チャック４２をそれぞれ取り付けるとともに、前記作業デッキ２０の開口部１９に小径用補助作業デッキ４３を嵌め込み、小径用補助作業デッキ４３の所定位置に設けた手摺取付部材４４に７個の内周側手摺部材２１を取り付け、小径用補助作業デッキ４３の小径開口部４５を囲むようにすればよい。
【００２０】
このように、使用するケーシングチューブの外径に対応した補助作業デッキを作業デッキの開口部に着脱可能な状態で嵌め込むとともに、補助作業デッキの開口部の大きさに応じて内周側手摺部材の設置数を変えて配置することにより、ケーシングチューブの径が小さい場合でも、作業の安全性を確保することができる。さらに、開口部の大きさに関係なく同じ内周側手摺部材を使用することにより、内周側手摺部材の製作コストの削減や管理する手間を省くことができる。
【符号の説明】
【００２１】
１１…ベースフレーム、１２…昇降シリンダ、１３…ドライブフレーム、１４…チャックシリンダ、１５…チャックフレーム、１６…ケーシングチューブ挿通孔、１７…大径ケーシングチューブ、１８…チャック、１９…開口部、１９ａ…設置用下部フランジ、２０…作業デッキ、２０ａ…拡幅デッキ、２１…内周側手摺部材、２２…外縁部側手摺部材、２１ａ，２２ａ…手摺部、２１ｂ，２２ｂ…中桟、２１ｃ，２２ｃ…支柱部、２３，２４…手摺取付部材、２５…抜け止め部材、３１…中径ケーシングチューブ、３２…中径用チャック、３３…中径用補助作業デッキ、３３ａ…設置用上部フランジ、３４…中径開口部、３５…手摺取付部材、４１…小径ケーシングチューブ、４２…小径用チャック、４３…小径用補助作業デッキ、４４…手摺取付部材、４５…小径開口部
【図１】
2015040434.tif 000003
【図２】
2015040434.tif 000004
【図３】
2015040434.tif 000005
【図４】
2015040434.tif 000006
【図５】
2015040434.tif 000007